【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
寝台と、Ｘ線を発生するＸ線発生手段と、前記発生されたＸ線の照射野を形成する照射野形成手段と、前記寝台に載置された被検体を透過したＸ線を検出して検出データを出力するＸ線検出手段と、前記寝台と、前記Ｘ線発生手段、前記照射野形成手段及び前記Ｘ線検出手段とを、前記被検体の体軸方向に沿って相対的に移動させる駆動手段と、前記出力された検出データに基づいて前記被検体の内部形態を表す画像を形成する画像形成手段と、前記形成された画像を表示させる表示制御手段と、を有するＸ線診断装置であって、
前記照射野形成手段は、前記Ｘ線の第１の照射野と、当該第１の照射野よりも前記体軸方向の長さが短い第２の照射野とを切り換えて形成し、
前記駆動手段は、前記相対的な移動により、前記第２の照射野のＸ線が照射される前記被検体の部位を前記体軸方向に沿って変更し、
前記画像形成手段は、
前記第１の照射野のＸ線が照射されたときに前記出力された検出データに基づいて、前記被検体の所定部位の透視画像を形成するとともに、
前記駆動手段により前記変更される前記被検体の部位のそれぞれについて、前記第２の照射野のＸ線が当該部位に照射されたときに前記出力された検出データに基づいて、当該部位の撮影画像を形成し、
前記表示制御手段は、前記透視画像と前記撮影画像とに基づいて画像を表示させる、
ことを特徴とするＸ線診断装置。
【請求項２】
前記照射野形成手段は、前記第２の照射野として、前記体軸方向の長さが前記体軸方向に直交する方向の長さよりも短い略長方形状の照射野を形成し、
前記画像形成手段は、前記被検体の部位のそれぞれの撮影画像として、前記略長方形状の照射野に対応する略長方形状の撮影画像を形成する、
ことを特徴とする請求項１に記載のＸ線診断装置。
【請求項３】
前記照射野形成手段により形成される照射野の前記体軸方向における長さと、前記所定部位の前記体軸方向における長さとに基づいて、前記撮影画像の撮影位置を求める演算手段を更に備え、
前記駆動手段は、前記求められた前記撮影位置に基づいて、前記第２の照射野のＸ線が照射される前記被検体の部位の前記変更を行う、
ことを特徴とする請求項１に記載のＸ線診断装置。
【請求項４】
前記撮影画像の撮影枚数と、前記所定部位の前記体軸方向における長さとに基づいて、前記撮影画像の撮影位置を求める演算手段を更に備え、
前記駆動手段は、前記求められた前記撮影位置に基づいて、前記第２の照射野のＸ線が照射される前記被検体の部位の前記変更を行う、
ことを特徴とする請求項１に記載のＸ線診断装置。
【請求項５】
前記演算手段は、隣接する撮影画像のそれぞれの一部が互いに重複するように、前記撮影画像の撮影位置を求める、
ことを特徴とする請求項３又は請求項４に記載のＸ線診断装置。
【請求項６】
前記駆動手段は、前記相対的な移動により、前記第１の照射野のＸ線が照射される前記所定部位の部分領域を前記体軸方向に沿って変更し、
前記画像形成手段は、前記変更される前記部分領域のそれぞれについて、前記第１の照射野のＸ線が当該部分領域に照射されたときに前記出力された検出データに基づいて、当該部分領域の透視画像を形成し、
前記表示制御手段は、前記部分領域のそれぞれについて前記形成された透視画像を、前記部分領域の位置関係に基づいて表示させることにより、前記所定部位の透視画像の前記表示を行う、
ことを特徴とする請求項１に記載のＸ線診断装置。
【請求項７】
操作手段を更に備え、
前記駆動手段は、前記操作手段が操作されたことに対応して、前記Ｘ線が照射される前記被検体の部位の前記変更を行う、
ことを特徴とする請求項１に記載のＸ線診断装置。
【請求項８】
寝台と、Ｘ線を発生するＸ線発生手段と、前記発生されたＸ線の照射野を形成する照射野形成手段と、前記寝台に載置された被検体を透過したＸ線を検出して検出データを出力するＸ線検出手段と、前記寝台と、前記Ｘ線発生手段、前記照射野形成手段及び前記Ｘ線検出手段とを、前記被検体の体軸方向に沿って相対的に移動させる駆動手段と、前記出力された検出データに基づいて前記被検体の内部形態を表す画像を形成する画像形成手段と、前記被検体の透視画像を取得するための透視画像取得動作と、前記被検体の撮影画像を取得するための撮影画像取得動作とを切り換えて動作制御を行う制御手段と、を有するＸ線診断装置であって、
前記制御手段は、
前記透視画像取得動作時に、前記照射野形成手段を制御して第１の照射野を形成させて、前記第１の照射野に対応する検出データを前記Ｘ線検出手段に出力させるとともに、当該検出データに基づいて前記画像形成手段により形成された透視画像を表示させ、
前記撮影画像取得動作時に、前記照射野形成手段を制御して前記第１の照射野よりも前記体軸方向の長さが短い第２の照射野を形成させ、前記駆動手段を制御して前記第２の照射野のＸ線が照射される前記被検体の部位を変更させて、前記被検体の部位のそれぞれに対応する検出データを前記Ｘ線検出手段に出力させるとともに、前記被検体の部位のそれぞれに対応する検出データを基に前記画像形成手段により形成された撮影画像を、当該部位と前記透視画像との位置関係に基づいて、前記表示された前記透視画像に重ねて表示させる、
ことを特徴とするＸ線診断装置。
【請求項９】
寝台と、Ｘ線を発生するＸ線発生手段と、前記発生されたＸ線の照射野を形成する照射野形成手段と、前記寝台に載置された被検体を透過したＸ線を検出して検出データを出力するＸ線検出手段と、前記寝台と、前記Ｘ線発生手段、前記照射野形成手段及び前記Ｘ線検出手段とを、前記被検体の体軸方向に沿って相対的に移動させる駆動手段と、前記出力された検出データに基づいて前記被検体の内部形態を表す画像を形成する画像形成手段と、を有し、前記被検体の透視画像を取得するための透視画像取得動作と、前記被検体の撮影画像を取得するための撮影画像取得動作とを実行するＸ線診断装置の制御方法であって、
前記透視画像取得動作時には、
前記照射野形成手段に第１の照射野を形成させるステップと、
前記第１の照射野に対応する検出データを前記Ｘ線検出手段に出力させるステップと、
当該検出データに基づいて前記画像形成手段に透視画像を形成させるステップと、
当該形成された透視画像を表示させるステップと、
を実行させ、
前記撮影画像取得動作時には、
前記第１の照射野よりも前記体軸方向の長さが短い第２の照射野を前記照射野形成手段に形成させるステップと、
当該第２の照射野のＸ線が照射される前記被検体の部位を前記駆動手段に変更させるステップと、
前記被検体の部位のそれぞれに対応する検出データを前記Ｘ線検出手段に出力させるステップと、
前記被検体の部位のそれぞれに対応する検出データに基づく撮影画像を前記画像形成手段に形成させるステップと、
当該形成された撮影画像を、当該部位と前記透視画像との位置関係に基づいて、前記表示された前記透視画像に重ねて表示させるステップと、
を実行させる、
ことを特徴とするＸ線診断装置の制御方法。
【手続補正２】
【補正対象書類名】明細書
【補正対象項目名】発明の名称
【補正方法】変更
【補正の内容】
【発明の名称】Ｘ線診断装置及びその制御方法
【手続補正３】
【補正対象書類名】明細書
【補正対象項目名】０００１
【補正方法】変更
【補正の内容】
【０００１】
この発明は、被検体にＸ線を照射し、被検体を透過したＸ線の線量に基づく画像を形成して表示するＸ線診断装置及びその制御方法に関する。
【手続補正４】
【補正対象書類名】明細書
【補正対象項目名】００２７
【補正方法】変更
【補正の内容】
【００２７】
上記目的を達成するために、請求項１に記載の発明は、寝台と、Ｘ線を発生するＸ線発生手段と、前記発生されたＸ線の照射野を形成する照射野形成手段と、前記寝台に載置された被検体を透過したＸ線を検出して検出データを出力するＸ線検出手段と、前記寝台と、前記Ｘ線発生手段、前記照射野形成手段及び前記Ｘ線検出手段とを、前記被検体の体軸方向に沿って相対的に移動させる駆動手段と、前記出力された検出データに基づいて前記被検体の内部形態を表す画像を形成する画像形成手段と、前記形成された画像を表示させる表示制御手段と、を有するＸ線診断装置であって、前記照射野形成手段は、前記Ｘ線の第１の照射野と、当該第１の照射野よりも前記体軸方向の長さが短い第２の照射野とを切り換えて形成し、前記駆動手段は、前記相対的な移動により、前記第２の照射野のＸ線が照射される前記被検体の部位を前記体軸方向に沿って変更し、前記画像形成手段は、前記第１の照射野のＸ線が照射されたときに前記出力された検出データに基づいて、前記被検体の所定部位の透視画像を形成するとともに、前記駆動手段により前記変更される前記被検体の部位のそれぞれについて、前記第２の照射野のＸ線が当該部位に照射されたときに前記出力された検出データに基づいて、当該部位の撮影画像を形成し、前記表示制御手段は、前記透視画像と前記撮影画像とに基づいて画像を表示させる、ことを特徴とする。
【手続補正５】
【補正対象書類名】明細書
【補正対象項目名】００３１
【補正方法】変更
【補正の内容】
【００３１】
また、請求項８に記載の発明は、寝台と、Ｘ線を発生するＸ線発生手段と、前記発生されたＸ線の照射野を形成する照射野形成手段と、前記寝台に載置された被検体を透過したＸ線を検出して検出データを出力するＸ線検出手段と、前記寝台と、前記Ｘ線発生手段、前記照射野形成手段及び前記Ｘ線検出手段とを、前記被検体の体軸方向に沿って相対的に移動させる駆動手段と、前記出力された検出データに基づいて前記被検体の内部形態を表す画像を形成する画像形成手段と、前記被検体の透視画像を取得するための透視画像取得動作と、前記被検体の撮影画像を取得するための撮影画像取得動作とを切り換えて動作制御を行う制御手段と、を有するＸ線診断装置であって、前記制御手段は、前記透視画像取得動作時に、前記照射野形成手段を制御して第１の照射野を形成させて、前記第１の照射野に対応する検出データを前記Ｘ線検出手段に出力させるとともに、当該検出データに基づいて前記画像形成手段により形成された透視画像を表示させ、前記撮影画像取得動作時に、前記照射野形成手段を制御して前記第１の照射野よりも前記体軸方向の長さが短い第２の照射野を形成させ、前記駆動手段を制御して前記第２の照射野のＸ線が照射される前記被検体の部位を変更させて、前記被検体の部位のそれぞれに対応する検出データを前記Ｘ線検出手段に出力させるとともに、前記被検体の部位のそれぞれに対応する検出データを基に前記画像形成手段により形成された撮影画像を、当該部位と前記透視画像との位置関係に基づいて、前記表示された前記透視画像に重ねて表示させる、ことを特徴とする。
【手続補正６】
【補正対象書類名】明細書
【補正対象項目名】００３２
【補正方法】変更
【補正の内容】
【００３２】
また、請求項９に記載の発明は、寝台と、Ｘ線を発生するＸ線発生手段と、前記発生されたＸ線の照射野を形成する照射野形成手段と、前記寝台に載置された被検体を透過したＸ線を検出して検出データを出力するＸ線検出手段と、前記寝台と、前記Ｘ線発生手段、前記照射野形成手段及び前記Ｘ線検出手段とを、前記被検体の体軸方向に沿って相対的に移動させる駆動手段と、前記出力された検出データに基づいて前記被検体の内部形態を表す画像を形成する画像形成手段と、を有し、前記被検体の透視画像を取得するための透視画像取得動作と、前記被検体の撮影画像を取得するための撮影画像取得動作とを実行するＸ線診断装置の制御方法であって、
前記透視画像取得動作時には、前記照射野形成手段に第１の照射野を形成させるステップと、前記第１の照射野に対応する検出データを前記Ｘ線検出手段に出力させるステップと、当該検出データに基づいて前記画像形成手段に透視画像を形成させるステップと、当該形成された透視画像を表示させるステップと、を実行させ、前記撮影画像取得動作時には、前記第１の照射野よりも前記体軸方向の長さが短い第２の照射野を前記照射野形成手段に形成させるステップと、当該第２の照射野のＸ線が照射される前記被検体の部位を前記駆動手段に変更させるステップと、前記被検体の部位のそれぞれに対応する検出データを前記Ｘ線検出手段に出力させるステップと、前記被検体の部位のそれぞれに対応する検出データに基づく撮影画像を前記画像形成手段に形成させるステップと、当該形成された撮影画像を、当該部位と前記透視画像との位置関係に基づいて、前記表示された前記透視画像に重ねて表示させるステップと、を実行させる、ことを特徴とする。
【手続補正７】
【補正対象書類名】明細書
【補正対象項目名】００３３
【補正方法】削除
【補正の内容】
【手続補正８】
【補正対象書類名】明細書
【補正対象項目名】００３５
【補正方法】変更
【補正の内容】
【００３５】
そして、表示制御手段は、前記透視画像と前記撮影画像とに基づいて画像を表示させるように作用する。
【手続補正９】
【補正対象書類名】明細書
【補正対象項目名】００４０
【補正方法】変更
【補正の内容】
【００４０】
また、請求項８又は請求項９に記載の発明によれば、第１の照射野に対応してＸ線検出手段から出力された検出データに基づいて透視画像を形成して表示させるように動作するとともに、第１の照射野よりも体軸方向の長さが短い第２の照射野のＸ線の照射部位を変更し、各部位に対応してＸ線検出手段から出力された検出データに基づく撮影画像を形成して透視画像に重ねて表示させるように動作するように構成されているので、長尺撮影を実施するときに、各撮影画像の位置を透視画像に基づいて把握でき、撮影画像の位置を容易に把握することができる。
【手続補正１０】
【補正対象書類名】明細書
【補正対象項目名】００４３
【補正方法】変更
【補正の内容】
【００４３】
ユーザインターフェイス１６には、表示部１７と操作部１８が設けられている。表示部１７は、ＣＲＴ（Ｃａｔｈｏｄｅ  Ｒａｙ  Ｔｕｂｅ）ディスプレイや、ＬＣＤ（Ｌｉｑｕｉｄ  Ｃｒｙｓｔａｌ  Ｄｉｓｐｌａｙ）等の任意の形態の表示デバイスによって構成される。この表示部１７は、演算制御部１１の制御を受けて各種の画面や画像を表示する。
【手続補正１１】
【補正対象書類名】明細書
【補正対象項目名】００６２
【補正方法】変更
【補正の内容】
【００６２】
演算制御部１１は、たとえば、ＣＰＵ（Ｃｅｎｔｒａｌ  Ｐｒｏｃｅｓｓｉｎｇ  Ｕｎｉｔ）等のマイクロプロセッサや、所定のコンピュータプログラムを格納するとともに各種データを記憶する記憶装置（メモリやハードディスクドライブ等）などを含んで構成される。マイクロプロセッサは、このコンピュータプログラムを実行することにより、この実施形態に関わる制御や演算処理を行うようになっている。